(57)【特許請求の範囲】
【請求項１】
低レートプリアンブル検出装置を無効化する方法であって、
通常レートプリアンブル検出装置が、通信信号に関連するエネルギーを受信するステップと、
前記低レートプリアンブル検出装置が、前記通信信号に関連するエネルギーを受信するステップと、
チャネルトラフィックロジックが、通信チャネルのトラフィックインジケータを決定するステップであって、前記トラフィックインジケータはある期間における前記通信チャネル上のトラフィック量を示す、決定するステップと、
前記トラフィックインジケータに基づき前記低レートプリアンブル検出装置を有効又は無効にするか判断するステップと、
を有する方法。
【請求項２】
アンテナが、前記通信信号に関連するエネルギーを受信し、前記エネルギーを前記通常レートプリアンブル検出装置と前記低レートプリアンブル検出装置とに送信するステップをさらに有する、請求項１記載の方法。
【請求項３】
前記通常レートプリアンブル検出装置が、前記通信信号に関連するエネルギーに基づき、メモリにプリアンブルの少なくとも一部を格納するステップをさらに有する、請求項１記載の方法。
【請求項４】
前記チャネルトラフィックロジックが通信チャネルのトラフィックインジケータを決定するステップは、送信機により送信される通信のデューティサイクルを決定するステップを有し、
前記デューティサイクルは、前記トラフィックインジケータである、請求項１記載の方法。
【請求項５】
前記低レートプリアンブル検出装置を有効又は無効にするか判断するステップは、前記チャネルトラフィックロジックが、前記トラフィックインジケータと閾値のチャネルトラフィック値とを比較するステップを有する、請求項１記載の方法。
【請求項６】
前記低レートプリアンブル検出装置を有効又は無効にするか判断するステップは、前記チャネルトラフィックロジックが、前記低レートプリアンブル検出装置を無効にするか判断するため、前記トラフィックインジケータと閾値のチャネルトラフィック値とを比較するステップを有する、請求項１記載の方法。
【請求項７】
前記低レートプリアンブル検出装置を有効又は無効にするか判断するステップは、前記チャネルトラフィックロジックが、前記低レートプリアンブル検出装置を無効にするか判断するため、チャネル占有インジケータである前記トラフィックインジケータと閾値のチャネル占有値とを比較するステップを有する、請求項１記載の方法。
【請求項８】
前記低レートプリアンブル検出装置を有効又は無効にするか判断するステップは、前記低レートプリアンブル検出装置を低電力消費状態に配置するステップを有する、請求項１記載の方法。
【請求項９】
低レートプリアンブル検出装置を無効化する装置であって、
通信信号に関連するエネルギーを受信する回路を有する通常レートプリアンブル検出装置と、
通信信号に関連するエネルギーを受信する回路を有する低レートプリアンブル検出装置と、
ある期間における通信チャネル上のトラフィック量を示す前記通信チャネルのトラフィックインジケータを決定し、前記トラフィックインジケータに基づき前記低レートプリアンブル検出装置を有効又は無効にするか判断するチャネルトラフィックロジックと、
を有する装置。
【請求項１０】
前記通信信号に関連するエネルギーを受信し、前記エネルギーを前記通常レートプリアンブル検出装置と前記低レートプリアンブル検出装置とに送信するアンテナをさらに有する、請求項９記載の装置。
【請求項１１】
前記通常レートプリアンブル検出装置により受信される通信信号に関連するエネルギーに基づき、プリアンブルの少なくとも一部をメモリに格納するメモリをさらに有する、請求項９記載の装置。
【請求項１２】
前記チャネルトラフィックロジックは、送信機により送信される通信のデューティサイクルを決定し、
前記デューティサイクルは、前記トラフィックインジケータである、請求項９記載の装置。
【請求項１３】
前記チャネルトラフィックロジックは、前記低レートプリアンブル検出装置を有効又は無効にするか判断するため、前記トラフィックインジケータと閾値のチャネルトラフィック値とを比較するロジックを有する、請求項９記載の装置。
【請求項１４】
前記トラフィックインジケータと閾値のチャネルトラフィック値とを比較するロジックは、送信機により送信される通信のデューティサイクルと閾値のデューティサイクルとを比較するロジックを有する、請求項１３記載の装置。
【請求項１５】
前記トラフィックインジケータと閾値のチャネルトラフィック値とを比較するロジックは、チャネル占有量と閾値のチャネル占有量とを比較するロジックを有する、請求項１３記載の装置。
【請求項１６】
前記低レートプリアンブル検出装置を有効又は無効にするか判断するチャネルトラフィックロジックは、前記低レートプリアンブル検出装置を低電力消費状態に配置するロジックを有する、請求項９記載の装置。
【請求項１７】
低レートプリアンブル検出装置を無効化するシステムであって、
アンテナと、
前記アンテナに接続され、通信信号に関連するエネルギーを受信する通常レートプリアンブル検出装置と、
前記アンテナに接続され、通信信号に関連するエネルギーを受信する低レートプリアンブル検出装置と、
ある期間における通信チャネル上のトラフィック量を示す前記通信チャネルのトラフィックインジケータを決定し、前記トラフィックインジケータに基づき前記低レートプリアンブル検出装置を有効又は無効にするか判断するチャネルトラフィックロジックと、
を有するシステム。
【請求項１８】
前記チャネルトラフィックロジックは、送信機により送信される通信のデューティサイクルを決定するロジックを有し、
前記デューティサイクルは、前記トラフィックインジケータである、請求項１７記載のシステム。
【請求項１９】
前記チャネルトラフィックロジックは、前記低レートプリアンブル検出装置を有効又は無効にするか判断するため、前記トラフィックインジケータと閾値のチャネルトラフィック値とを比較するロジックを有する、請求項１７記載のシステム。
【請求項２０】
前記トラフィックインジケータと閾値のチャネルトラフィック値とを比較するロジックは、送信機により送信される通信のデューティサイクルと閾値のデューティサイクルとを比較するロジックを有する、請求項１９記載のシステム。
【請求項２１】
前記トラフィックインジケータと閾値のチャネルトラフィック値とを比較するロジックは、チャネル占有量と閾値のチャネル占有量とを比較するロジックを有する、請求項２０記載のシステム。
【請求項２２】
前記低レートプリアンブル検出装置を有効又は無効にするか判断するチャネルトラフィックロジックは、前記低レートプリアンブル検出装置を低電力消費状態に配置するロジックを有する、請求項１７記載のシステム。
【請求項２３】
請求項１乃至８何れか一項記載の方法をマシーンに実行させるためのプログラム。
【発明の詳細な説明】
【背景技術】
【０００１】
実施例は無線通信の分野である。より詳細には、実施例は無線送信機と受信機との間の通信プロトコルの分野である。
【図面の簡単な説明】
【０００２】
【図１】図１は、複数の固定又は移動通信装置を含む複数の通信装置を有する無線ネットワークの実施例を示す。
【図２】図２は、通常レート及び低レート通信を送受信する装置の実施例を示す。
【図３】図３は、低レートプリアンブル検出装置を無効及び有効にするためのフローチャートの実施例を示す。
【図４】図４は、図１に示されるステーションなどのＩＥＥＥ８０２．１１ステーションを構成するためのフローチャートの実施例を示す。
【発明を実施するための形態】
【０００３】
以下において、添付した図面に示される新規な実施例が詳細に説明される。しかしながら、提供される詳細さの程度は開示された実施例の予想される変形を限定することを意図しておらず、請求項及び詳細な説明は、添付した請求項により規定される本教示の趣旨及び範囲内に属する全ての改良、均等及び代替をカバーする。以下の詳細な説明は、そのような実施例を当業者に理解可能にすることを意図している。
【０００４】
“一実施例”、“実施例”、“例となる実施例”、“各種実施例”などの言及は、そのように記載された発明の実施例が特定の特徴、構成又は特性を含むものであってもよいが、必ずしも全ての実施例が当該特徴、構成又は特性を含むとは限らないことを示す。さらに、“一実施例では”というフレーズの繰り返しの利用は、そうであるかもしれないが、必ずしも同一の実施例を参照しているとは限らない。
【０００５】
ここで用いられるように、特段の指摘がない場合、共通するオブジェクトを記載するための序数の形容詞“第１”、“第２”、“第３”などの使用は、類似するオブジェクトの異なるインスタンスが参照されていることを単に示すものであり、そのように記載されたオブジェクトが時間的、空間的、ランキングにより又は他の何れかの方法の所与の順序にある必要があることを意味することを意図するものでない。
【０００６】
いくつかの実施例は、第１の変調符号化方式セットに従って送信された通信信号のプリアンブルを検出及び復号化するための通常レートプリアンブル検出装置と、第２の低レート変調符号化方式セットに従って送信された通信信号のプリアンブルを検出及び復号化するための低レートプリアンブル検出装置とを提供する。実施例はさらに、通信信号が送信される通信チャネルのトラフィックを示すトラフィックインジケータを決定するためのチャネルトラフィックロジックを有してもよい。多数の実施例において、チャネルトラフィックロジックは、トラフィックインジケータを決定するため送信機により送信されるトラフィックのデューティサイクルを決定するためのロジックを有してもよい。いくつかの実施例では、チャネルトラフィックロジックは、トラフィックインジケータを決定するため通信チャネルのチャネル占有量を決定するためのロジックを有してもよい。トラフィックインジケータに基づき、チャネルトラフィックロジックは、低レートプリアンブル検出装置を無効にするか決定してもよい。
【０００７】
さらなる実施例は、パラメータ関連チャネルトラフィックに基づき特定のアプリケーションのためのステーションを構成又は選択するためのロジックを有する。いくつかの実施例は、例えば、ＩＥＥＥ８０２．１１−２００７，ＩＥＥＥ  Ｓｔａｎｄａｒｄ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ−Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ（ｈｔｔｐ：／／ｓｔａｎｄａｒｄｓ．ｉｅｅｅ．ｏｒｇ／ｇｅｔｉｅｅｅ８０２／ｄｏｗｎｌｏａｄ／８０２．１１−２００７．ｐｄｆ）などのＩＥＥＥ８０２．１１規格の要求に基づき、ステーション又はその一部を構成するためのコードを有してもよい。
【０００８】
ステーションを構成又は選択するためのいくつかの実施例は、マシーンにＩＥＥＥ８０２．１１ステーションを構成するための処理を実行させるための命令を含む媒体を有してもよく、当該処理は、ＩＥＥＥ８０２．１１ステーションがサポートするよう構成されるデューティサイクルに基づき、ＩＥＥＥ８０２．１１ａｈステーションなどのＩＥＥＥ８０２．１１ステーションの構成に低レートプリアンブル検出装置を統合するか判断することを含む。ステーションを構成するためのいくつかの実施例は、マシーンにＩＥＥＥ８０２．１１ステーションを構成するための処理を実行させるための命令を含む媒体を有してもよく、当該処理は、ＩＥＥＥ８０２．１１ステーションの送信機により送信するデータのためのバッファのサイズに基づき、ＩＥＥＥ８０２．１１ステーションの構成に低レートプリアンブル検出装置を統合するか判断することを含む。ステーションを構成するためのいくつかの実施例は、マシーンにＩＥＥＥ８０２．１１ステーションを構成するための処理を実行させるための命令を含む媒体を有してもよく、当該処理は、ＩＥＥＥ８０２．１１ステーションの受信機により受信するデータのためのバッファのサイズに基づき、ＩＥＥＥ８０２．１１ステーションの構成に低レートプリアンブル検出装置を統合するか判断することを含む。また、ステーションを構成するためのいくつかの実施例は、マシーンにＩＥＥＥ８０２．１１ステーションを構成するための処理を実行させるための命令を含む媒体を有してもよく、当該処理は、ＩＥＥＥ８０２．１１ステーションが通信するよう構成されるチャネルのチャネル占有量に基づき、ＩＥＥＥ８０２．１１ステーションの構成に低レートプリアンブル検出装置を統合するか判断することを含む。
【０００９】
いくつかの実施例は、ＩＥＥＥ８０２．１１ａｈシステムなどのための拡張レンジシステム及びステーションを実現する。多数の実施例において、通常レンジステーションは、第１の変調符号化方式セットを実装し、拡張レンジステーションは、通常レンジステーションの第１の変調符号化方式セットのデータレートより低速な低速物理レイヤデータレートによる第２の変調符号化方式セットを実装してもよい。さらなる実施例では、拡張レンジステーションは、通常レートステーションと低レートステーションが異なるプリアンブル及び異なるデータレートによる通信を生成する状況を生じさせる異なる（長い）プリアンブルを実装してもよい。この結果、ステーションは、検出及び復号化するための異なる２つのデータレートによる異なる２つのプリアンブルを有し、これらのステーションの一部は、通信信号のプリアンブルを検出及び復号化するための異なる２つの検出装置である通常レートプリアンブル検出装置と低レートプリアンブル検出装置とを必要とするものであってもよい。
【００１０】
低レートプリアンブル検出装置と通常レートプリアンブル検出装置との２つの異なる検出装置の使用は、検出装置の回路により使用されるシリコンエリア、当該ステーションのコスト及びパラレルなどに双方の検出装置の使用により消費される電力を増大させるものであるかもしれない。多数の実施例は、低レートプリアンブル検出装置を無効にし、低レートプリアンブル検出装置を低電力消費状態又はモードに配置すべき時点を決定することによって、通常レートプリアンブル検出装置と低レートプリアンブル検出装置との双方を搭載したステーションの電力消費の低減に着目する。他の実施例は、低レートプリアンブル検出装置がＩＥＥＥ８０２．１１ａｈステーションの適合処理などにおいて、適切に動作することをステーションが要求するか判断する特定のアプリケーションのためのステーションを構成又は選択するためのコードに着目する。
【００１１】
いくつかの実施例は、他の特有の特性のうちとても低い電力消費しかしばしば要求しない新たなアプリケーションを可能にするＷｉ−Ｆｉ（Ｗｉｒｅｌｅｓｓ  Ｆｉｄｅｌｉｔｙ）ネットワークユビキティを利用してもよい。Ｗｉ−Ｆｉは、一般にＩＥＥＥ８０２．１１−２００７及び他の関連する無線規格を実装する装置を表す。
【００１２】
いくつかの実施例は、ルータ、スイッチ、サーバ、ワークステーション、ネットブック、モバイル装置（ラップトップ、スマートフォン、タブレットなど）と共に、センサ、メータ、コントロール、器具、モニタ、機器などのアクセスポイント（ＡＰ）及び／又はＡＰ若しくはステーション（ＳＴＡ）のクライアント装置を含む。いくつかの実施例は、屋内及び／又は屋外の“スマート”グリッド及びセンササービスなどを提供するものであってもよい。例えば、いくつかの実施例は、特定エリア内の家庭のための電気、水道、ガス及び／又は他のユーティリティの利用を測定し、メータサブステーションにこれらのサービスの利用を無線送信するためのセンサからデータを収集するための測定ステーションを提供してもよい。さらなる実施例は、低下検出、薬瓶モニタリング、体重モニタリング、睡眠時無呼吸、血糖レベル、心拍などの患者の健康関連イベント及びバイタルサインをモニタリングするための在宅医療、クリニック又は病院用のセンサからデータを収集してもよい。このようなサービス用に設計された実施例は、ＩＥＥＥ８０２．１１ｎ／ａｃシステムにおいて提供される装置よりはるかに低いデータレート及びはるかに低い（超低）電力消費を要求する。
【００１３】
ここに開示されるロジック、モジュール、装置及びインタフェースは、ハードウェア及び／又はコードにより実現される機能を実行する。ハードウェア及び／又はコードは、当該機能を実現するため設計されたソフトウェア、ファームウェア、マイクロコード、プロセッサ、状態マシーン、チップセット又はこれらの組み合わせから構成されてもよい。
【００１４】
実施例は、無線通信を実現してもよい。いくつかの実施例は、このような装置間のインタラクションを実現するため、Ｂｌｕｅｔｏｏｔｈ（登録商標）、ＷＬＡＮ（Ｗｉｒｅｌｅｓｓ  Ｐｅｒｓｏｎａｌ  Ａｒｅａ  Ｎｅｔｗｏｒｋ）、ＷＭＡＮ（Ｗｉｒｅｌｅｓｓ  Ｍｅｔｒｏｐｏｌｉｔａｎ  Ａｒｅａ  Ｎｅｔｗｏｒｋ）、ＷＰＡＮ（Ｗｉｒｅｌｅｓｓ  Ｐｅｒｓｏｎａｌ  Ａｒｅａ  Ｎｅｔｗｏｒｋ）、セルラネットワーク、ネットワークにおける通信、メッセージングシステム及びスマートデバイスなどの低電力無線通信を有してもよい。さらに、いくつかの無線実施例は単一のアンテナを内蔵し、他の実施例は複数のアンテナを利用してもよい。例えば、ＭＩＭＯ（Ｍｕｌｔｉｐｌｅ−Ｉｎｐｕｔ  ａｎｄ  Ｍｕｌｔｉｐｌｅ−Ｏｕｔｐｕｔ）は、通信パフォーマンスを向上させるため、送信機と受信機との双方において複数のアンテナを介し信号を搬送する無線チャネルを利用する。
【００１５】
後述される特定の実施例のいくつかは特定のコンフィギュレーションにより実施例を参照するが、当業者は、本開示の実施例は同様の問題を有する他のコンフィギュレーションにより効果的に実現されてもよい。
【００１６】
図１を参照して、無線通信システム１０００の実施例が示される。無線通信システム１０００は、ネットワーク１００５に有線及び無線接続されてもよい通信装置１０１０を有する。通信装置１０１０は、ネットワーク１００５を介し複数の通信装置１０３０，１０５０と無線通信可能である。通信装置１０１０，１０３０，１０５０，１０５５は、センサ、ステーション、アクセスポイント、ハブ、スイッチ、ルータ、コンピュータ、ラップトップ、ネットブック、携帯電話、ＰＤＡ（Ｐｅｒｓｏｎａｌ  Ｄｉｇｉｔａｌ  Ａｓｓｉｓｔａｎｔ）又は他の無線対応装置から構成されてもよい。従って、通信装置は移動又は固定であってもよい。例えば、通信装置１０１０は、家庭の近傍の範囲内の水道消費の測定サブステーションから構成されてもよい。当該近傍内の各家庭は、通信装置１０３０などの通信装置を有し、通信装置１０３０が、水道メータ使用メータに一体化又は接続されてもよい。定期的に、通信装置１０３０は、水道使用に関連するデータを送信するため測定サブステーションとの通信を開始する。さらに、測定ステーション又は他の通信装置は、例えば、通信装置１０３０のファームウェアを更新するため、通信装置１０３０との通信を定期的に開始してもよい。他の実施例では、通信装置１０３０は、通信に応答するのみであり、通信を開始するロジックを有しなくてもよい。
【００１７】
通信装置１０１０は、通信装置１０１０に関連するステーションの個数のため、高いデューティサイクルトラフィック又は極めて高いデューティサイクルトラフィック（例えば、大きなファイル伝送又はビデオストリーミングなど）を定期的に維持してもよい。ある期間後、チャネルトラフィックは減少し、チャネルトラフィックロジック１０２３は、トラフィックインジケータが閾値以下のチャネルトラフィック値に低下したと判断する。トラフィックインジケータが閾値のチャネルトラフィック値以下に低下すると、送信衝突の確率及び／又は通信トラフィック上の衝突の影響は、低レート検出装置無効化ロジック１０２４を介し低レートプリアンブル検出装置の一部又は全てを無効にすることによって、電力消費を節約する値よりもあまり重要でない低レートプリアンブルトラフィックを検出するため低レートプリアンブル検出装置１０２５を利用する値を生成する閾値以下であってもよい。電力セービングの値が低レートプリアンブル検出装置を利用することによって衝突を回避する値を超えるポイントは、アプリケーションに基づき可変的であることに留意されたい。すなわち、システムに固有の考慮及びアプリケーションに固有の考慮は、情勢を変化させるか、又は閾値をより高く又はより低くすることができる。例えば、電力セービングは、通信装置１０１０がバッテリ電力のみにより電源供給されるとき、通信装置１０１０が通常の電源の故障によるバッテリにより電源供給されているときなど、通信装置１０１０の電源が限定される状況においてより貴重になるかもしれない。通常電源の故障又はバッテリ電力の使用を検出可能ないくつかの実施例では、ステーションが通常電源により電力供給されるときに使用されるセットと異なる閾値のチャネルトラフィック値のセットが、バッテリ電力時に適用されてもよい。
【００１８】
さらなる実施例では、通信装置１０１０は、データオフロード処理を実行してもよい。例えば、低電力センサである通信装置は、測定ステーションなどへのアクセスを待機するのに消費される電力消費を低減するため、及び／又は帯域幅の可用性を増大させるため、Ｗｉ−Ｆｉ、他の通信装置、セルラネットワークなどを介し通信するためのデータオフロード方式を含むものであってもよい。測定ステーションなどのセンサからデータを受信する通信装置は、ネットワーク１００５の輻輳を減少させるため、Ｗｉ−Ｆｉ、他の通信装置、セルラネットワークなどを介し通信するためのデータオフロード方式を含むものであってもよい。
【００１９】
ネットワーク１００５は、複数のネットワークの相互接続を表すものであってもよい。例えば、ネットワーク１００５は、インターネット又はイントラネットなどのワイドエリアネットワークと接続され、１以上のハブ、ルータ又はスイッチを介し有線又は無線接続されるローカル装置を相互接続してもよい。本実施例では、ネットワーク１００５は、通信装置１０１０，１０３０，１０５０，１０５５を通信接続する。通信装置１０５０は、隣接する地理的エリアにおいてデータを受信し、当該データを通信装置１０１０に送信する第２の測定サブステーションであってもよい。
【００２０】
通信装置１０１０，１０３０は、メモリ１０１１，１０３１、ＭＡＣ（Ｍｅｄｉｕｍ  Ａｃｃｅｓｓ  Ｃｏｎｔｒｏｌ）サブレイヤロジック１０１８，１０３８、及び物理レイヤ（ＰＨＹ）ロジック１０２１，１０４１をそれぞれ有してもよい。ＤＲＡＭ（Ｄｙｎａｍｉｃ  Ｒａｎｄｏｍ  Ａｃｃｅｓｓ  Ｍｅｍｏｒｙ）、バッファ、レジスタ、キャッシュ、ハードディスクドライブ、ソリッドステートドライブ、光媒体などのメモリ１０１１，１０３１は、フレーム、プリアンブル及びプリアンブル構造若しくはその一部を格納してもよい。多数の実施例では、メモリ１０１１はまた、チャネルトラフィックロジック１０２３又はその一部を表現するコードと、低レートトラフィックのプリアンブルを検出及び復号化するための低レートプリアンブル検出装置１０２５の利用と電力のセービングとの間のバランスの決定に関連する１以上の閾値とを格納してもよい。メモリ１０１１はまた、１以上のチャネルトラフィック閾値を格納してもよい。ＭＡＣレイヤプロトコルデータユニット（ＭＰＤＵ）としても参照されるフレーム及びプリアンブル構造は、低レート通信のためのロングプリアンブル構造と、通常レート通信のためのショートプリアンブル構造とを有し、送信装置と受信装置との間の同期された通信を確立及び維持してもよい。
【００２１】
ＭＡＣサブレイヤロジック１０１８，１０３８はフレームを生成し、ＰＨＹロジック１０２１，１０４１は物理レイヤデータユニット（ＰＰＤＵ）を生成してもよい。より詳細には、フレームビルダ１０１２，１０３２は、ＰＰＤＵを生成するため、フレームデータユニットビルダ１０２２，１０４２を生成してもよい。例えば、通信装置１０３０は、通信装置１０３０の近傍の環境を測定するセンサと一体化され、当該測定結果に関連するデータを含むパケットを通信装置１０１０に送信してもよい。通信装置１０１０は、通信装置１０３０から通信信号を検出及び復号化するため、通常レートプリアンブル検出装置及び低レートプリアンブル検出装置１０２５をパラレルに接続されるエネルギー検出装置によりチャネルトラフィックをモニタしてもよい。
【００２２】
通信装置１０１０，１０３０，１０５０，１０５５はそれぞれ、送受信機（ＲＸ／ＴＸ）１０２０，１０４０などの送受信機（ＲＸ／ＴＸ）を有してもよい。各送受信機１０２０，１０４０は、ＲＦ送信機及びＲＦ受信機を有する。各ＲＦ送信機は、電磁放射によるデータの送信のため、デジタルデータをＲＦ周波数に印加する。ＲＦ受信機は、ＲＦ周波数により電磁エネルギーを受信し、そこからデジタルデータを抽出する。図１は、４つの空間ストリームなどによるＭＩＭＯ（Ｍｕｌｔｉｐｌｅ−Ｉｎｐｕｔ，Ｍｕｌｔｉｐｌｅ−Ｏｕｔｐｕｔ）システムを含む複数の異なる実施例を示し、通信装置１０１０，１０３０，１０５０，１０５５の１以上が、ＳＩＳＯ（Ｓｉｎｇｌｅ−Ｉｎｐｕｔ，Ｓｉｎｇｌｅ  Ｏｕｔｐｕｔ）システム、ＳＩＭＯ（Ｓｉｎｇｌｅ−Ｉｎｐｕｔ，Ｍｕｌｔｉｐｌｅ  Ｏｕｔｐｕｔ）システム及びＭＩＳＯ（Ｍｕｌｔｉｐｌｅ−Ｉｎｐｕｔ，Ｓｉｎｇｌｅ  Ｏｕｔｐｕｔ）システムを含む単一のアンテナを有する受信機及び／又は送信機から構成される縮退したシステムを示してもよい。
【００２３】
送受信機（ＲＸ／ＴＸ）１０２０，１０４０はそれぞれ、物理（ＰＨＹ）レイヤロジック１０２１，１０４１を有してもよい。物理（ＰＨＹ）レイヤロジック１０２１，１０４１は、チャネル占有量及びデューティサイクルなどのトラフィックインジケータ値を決定するためのチャネルトラフィックロジック１０２３と、低レート検出装置１０２５を無効化するための１以上の信号を送信する低レート無効化ロジックと共にデータを有してもよい。いくつかの実施例では、ＰＨＹロジック１０２１は、通常レートプリアンブルを受信及び検出するためのロジックと、低レートプリアンブルを受信及び検出するための低レートプリアンブル検出装置とを有してもよい。本実施例における低レートプリアンブル検出装置１０２５は、低レートプリアンブルを検出及び復号化するためのコードと回路との双方を有する。他の実施例では、低レートプリアンブル検出装置１０２５は、低レートプリアンブルを検出及び復号化するための回路を有してもよい。
【００２４】
多数の実施例において、送受信機１０２０，１０４０は、直交周波数分割多重（ＯＦＤＭ）を実現する。ＯＦＤＭは、デジタルデータを複数のキャリア周波数に符号化する方法である。ＯＦＤＭは、デジタルマルチキャリア変調方法として利用される周波数分割多重方式である。多数の近接して配置された直交サブキャリア信号が、データを搬送するのに利用される。当該データは、各サブキャリアについて１つである複数のパラレルなデータストリーム又はチャネルに分割される。各サブキャリアは、同一の帯域幅に従来のシングルキャリア変調方式に類似したトータルデータレートを維持する低シンボルレートによる変調方式により変調される。
【００２５】
ＯＦＤＭシステムは、データ、パイロット、ガード及びヌル化を含む機能のための複数のキャリア又は“トーン”を利用する。データトーンは、チャネルの１つを介し送信機と受信機との間で情報を伝送するのに利用される。パイロットトーンは、チャネルを維持するのに利用され、時間／周波数及びチャネルトラッキングに関する情報を提供してもよい。ガードトーンは、マルチパス歪みから生じうるシンボル間干渉（ＩＳＩ）を回避するため、送信中にショートトレーニングフィールド（ＳＴＦ）とロングトレーニングフィールド（ＬＴＦ）シンボルなどのシンボルの間に挿入される。これらのガードトーンはまた、信号がスペクトルマスクに従うことに役立つ。ダイレクトコンポーネント（ＤＣ）のヌル化は、直流変換受信機の設計を簡単化するのに利用される。
【００２６】
一実施例では、通信装置１０１０は、任意的にはデジタルビームフォーマ（ＤＢＦ）を有する。ＤＢＦは、情報信号をアンテナアレイ１０２４のエレメントに印加すべき信号に変更する。アンテナアレイ１０２４は、個別に励起可能なアンテナエレメントのアレイである。アンテナアレイ１０２４のエレメントに印加される信号は、アンテナアレイ１０２４に１〜４個の空間チャネルを放射させる。このように形成された各空間チャネルは、通信装置１０３０，１０５０，１０５５の１以上に情報を搬送する。同様に、通信装置１０３０は、通信装置１０１０との間で信号を送受信するための送受信機１０４０を有する。送受信機１０４０は、アンテナアレイ１０４４と、任意的にＤＢＦとを有してもよい。
【００２７】
図２は、無線ネットワークにおいて通信信号の通常レートプリアンブル及び低レートプリアンブルを検出及び復号化する装置の実施例を示す。当該装置は、ＭＡＣサブレイヤロジック２０１物理レイヤ（ＰＨＹ）ロジック２０２に接続される送受信機２００を有する。一般に、ＭＡＣサブレイヤロジック２０１は、送受信機２００を介し送信するためのＭＡＣサービスデータユニット（ＭＳＤＵ）を生成し、ＰＨＹロジック２０２は、アンテナアレイ２１８を介し送信するためのＰＨＹプロトコルデータユニット（ＰＰＤＵ）を生成してもよい。
【００２８】
送受信機２００は、受信機２０４及び送信機２０６を有する。送信機２０６は、信号処理ロジック２０６及びデューティサイクルロジック２１０を有してもよい。信号処理ロジック２０８は、アンテナアレイ２１８を介した送信用の物理レイヤプロトコルデータユニット（ＰＰＤＵ）などのパケットを処理するための回路を有する。信号処理ロジック２０６は、エンコーダ、変調手段、直交周波数分割マルチプレクサ（ＯＦＤＭ）、デジタルビームフォーマ（ＤＢＦ）及び／又は他の信号処理ユニットの１以上を有してもよい。エンコーダは、ＰＨＹロジック２０２から送信用のデータを受信する。変調手段は、エンコーダから受信したバイナリデータの各ブロックを、アップ変換及び増幅によりアンテナアレイ２１８のアンテナエレメントにより送信可能な一意的な連続時間波形に変換するため、エンコーダからデータを受信する。変調手段の出力は、変調手段からの変調されたデータを複数の直交サブキャリアに印加するため、ＯＦＤＭに提供される。ＯＦＤＭの出力は、アンテナエレメントのアレイとの間で送受信される信号に対して実行されるデジタル信号処理アルゴリズムを利用して、複数のユーザ端末のそれぞれとの間で送受信される信号パワーを最大化するため、複数の空間チャネルを独立に誘導するため、ＤＢＦに提供される。
【００２９】
デューティサイクルロジック２１０は、チャネルトラフィックロジック２１９の一部を有し、送信機２０６により生成された送信のデューティサイクルを決定するため、ＭＡＣサブレイヤロジック２０１及び／又は信号処理ロジック２０８に接続されてもよい。デューティサイクルロジック２１０は、送信機２０６がトータル時間の一部としてアクティブ状態においてパケットを送信するのに費やす時間を決定する。多数の実施例において、デューティサイクルロジック２１０はデューティサイクルの値を決定し、当該デューティサイクルの値は、低レート（ＬＲ）プリアンブル検出装置２２５が低レートチャネルトラフィックについてチャネルをモニタするためアクティブ状態にあるべきであることを送信機２０６により生成されるトラフィックが示しているか判断するため、閾値のデューティサイクル値などの閾値のチャネルトラフィック値と比較されるチャネルトラフィックインジケータであってもよい。いくつかの実施例では、閾値のデューティサイクル値又はチャネルトラフィックインジケータは、ＬＲプリアンブル検出装置２２５が無効にされるチャネルトラフィックレベルを示すより低い値と、ＬＲプリアンブル検出装置２２５が有効にされるチャネルトラフィックレベルを示すより高い値とを有する閾値範囲を有してもよい。他の実施例では、時間遅延などの他の形態のヒステリシス方法が実装される。
【００３０】
多数の実施例では、デューティサイクルロジック２１０は、信号処理ロジック２０８と並列にＭＡＣサブレイヤロジック２０１に接続される。いくつかの実施例では、デューティサイクルロジック２１０は、信号処理ロジック２０８と並列にアンテナアレイ２１８に接続される。他の実施例では、デューティサイクルロジック２１０は、信号処理ロジック２０８と直列にアンテナアレイ２１８に接続される。さらなる実施例では、デューティサイクルロジック２１０は、信号処理ロジック２０８の少なくとも一部と直列にアンテナアレイ２１８に接続される。
【００３１】
送受信機２００はまた、アンテナアレイ２１８に接続されるダイプレクサ２１６を有してもよい。従って、本実施例では、単一のアンテナアレイが、送信と受信との双方に利用される。送信時、信号はダイプレクサ２１６を通過し、アップ変換された情報搬送信号によりアンテナを駆動する。送信中、ダイプレクサ２１６は、送信対象の信号が受信機２０４に入ることを防ぐ。受信時、アンテナアレイにより受信される情報搬送信号は、アンテナアレイから受信機２０４に信号を提供するためダイプレクサ２１６を通過する。その後、ダイプレクサ２１６は、受信信号が送信機２０６に入ることを防ぐ。従って、ダイプレクサ２１６は、アンテナアレイエレメントを受信機２０４及び送信機２０６に交互に接続するためのスイッチとして動作する。
【００３２】
アンテナアレイ２１８は、情報搬送信号を受信機のアンテナにより受信可能な電磁エネルギーの時間可変的な空間分布に放射する。その後、受信機は、受信信号の情報を抽出できる。アンテナエレメントのアレイは、システムパフォーマンスを最適化するため誘導可能な複数の空間チャネルを生成可能である。相互に、受信アンテナの放射パターンにおける複数の空間チャネルが、異なる空間チャネルに分離可能である。従って、アンテナアレイ２１８の放射パターンは非常に選択的である。アンテナアレイ２１８は、既存のプリント回路基板のメタライゼーション技術を利用して実現されてもよい。例えば、マイクロストリップ、ストリップライン、スロットライン及びパッチなどの全てが、アンテナアレイ２１８の候補である。
【００３３】
送受信機２００は、情報搬送通信信号を受信、復調及び復号化するための受信機２０４を有する。受信機２０４は、相関ロジック２２２及び信号処理ロジック２２６を含む物理レイヤロジックを有する。相関ロジック２２２は、ショートトレーニングシーケンス及びロングトレーニングシーケンスなどの既知のプリアンブルシンボルとプリアンブルシンボルとを相関させる。本実施例では、相関ロジック２２２は、通常レートステーションにより実装される第１の変調符号化方式セットのデータレートにおいて受信した通常レートシンボルと既知のショートプリアンブルシーケンスとを比較する通常レート（ＮＲ）プリアンブルロジック２２４と、低レートステーションにより実装される第２の変調符号化方式セットのデータレートにおいて受信した低レートシンボルと既知のロングプリアンブルシーケンスとを比較するＬＲプリアンブルロジック２２５とを有する。
【００３４】
説明のため、相関ロジック２２４は、アンテナアレイ２１８からエネルギーを受信し、当該エネルギーをＮＲプリアンブルロジック２２４及びＬＲプリアンブルロジック２２５にパラレルに誘導する。ＮＲプリアンブル検出装置２２４は、通常レート通信信号においてトレーニングシンボルを検出及び復号化し、ＬＲプリアンブルロジック２２５は、チャネル上の通信信号の有無を決定するため、低レート通信信号においてトレーニングシンボルを検出及び復号化してもよい。ＬＲプリアンブル検出装置２２５が無効とされる状況について、ＬＲプリアンブル検出装置２２５は、低電力消費状態にあり、低レート通信信号のプリアンブルを検出及び復号化するよう動作しない。このような状況では、ＮＲプリアンブル検出装置２２５は、チャネル上の低レート通信の有無を決定するため、低レート通信信号のエネルギーを検知する。さらなる実施例では、ＬＲプリアンブル検出装置２２５は、エネルギーを検出するが、低レート通信信号のプリアンブルを復号化することはできず、ＬＲプリアンブル検出装置２２５は無効とされる。例えば、ＬＲプリアンブル検出装置２２５の無効化は、ＬＲプリアンブル検出装置２２５の復号化回路を無効化、電力の除去、電力の低減又は非アクティブ状態又はモードへの配置であってもよい。他の実施例では、ＬＲプリアンブル検出装置２２５の検出回路は無効にされてもよい。
【００３５】
いくつかの実施例では、相関ロジック２２２は、信号処理ロジック２２６及びアンテナアレイ２１８と直接に接続される。さらなる実施例では、相関ロジック２２２は、信号処理ロジック２２６と並列に接続されてもよい。他の実施例では、相関ロジック２２２は、信号処理ロジック２２６と部分的に並列に動作する。
【００３６】
本実施例では、送受信機２００は、チャネルトラフィックロジック２１９を有する。チャネルトラフィックロジック２１９は、チャネル占有ロジック２２０によるチャネル占有値及びデューティサイクルロジック２２１によるデューティサイクル値などの１以上のトラフィックインジケータを決定する。さらなる実施例では、他のチャネルトラフィックインジケータが決定されてもよい。
【００３７】
チャネルトラフィックロジック２１９は、低レート検出装置無効化ロジック２２１を介しＬＲプリアンブル検出装置２２５がアクティブ状態に維持されるか、又は無効化若しくは非アクティブかされるか判断するため、１以上のトラフィックインジケータとトラフィックインジケータの閾値とを比較する。いくつかの実施例では、チャネルトラフィックロジック２１９は、デューティサイクル値のみ利用する、チャネル占有インジケータのみを利用する、又は他のトラフィックインジケータのみ利用して、ＬＲプリアンブル検出装置２２５を無効又は有効にするか判断してもよい。いくつかの実施例では、チャネルトラフィックロジック２１９は、トラフィックインジケータの何れかが閾値のチャネルトラフィック値に一致又は超過することに基づき、ＬＲプリアンブル検出装置２２５を無効又は有効にするよう決定してもよい。例えば、デューティサイクルが閾値のデューティサイクル値を超える値に増加するか、又はチャネル占有値が閾値のチャネル占有値を超えて増加した場合、ＬＲプリアンブル検出装置２２５は有効とされるか、又はいくつかの実施例では、低電力消費状態からアウェイクされてもよい。
【００３８】
さらなる実施例では、複数のトラフィックインジケータが、トラフィックインジケータが閾値のチャネルトラフィック値に達したか判断するため組み合わされてもよい。例えば、一実施例では、デューティサイクル値及びチャネル占有値は、単一のトラフィックインジケータ値を決定するため、重み付け関数を介し組み合わされてもよく、当該単一のトラフィックインジケータ値は、閾値のチャネルトラフィック値と比較される。
【００３９】
チャネル占有ロジック２２０は、通信チャネルにおける通信信号のエネルギー検出及び／又はプリアンブル検出に基づき、チャネル占有値を決定してもよい。例えば、ＬＲプリアンブル検出装置２２５が有効にされると、チャネル占有ロジック２２０は、ＮＲプリアンブル検出装置２２４及びＬＲプリアンブル検出装置２２５によるプリアンブル検出に基づき、チャネル占有を決定してもよい。ＬＲプリアンブル検出装置２２５が無効にされる状況について、チャネル占有ロジック２２０は、通常レート通信信号に対するＮＲプリアンブル検出装置２２４によるプリアンブル検出と、低レート通信信号に対する受信機２０４のＬＲプリアンブル検出装置２２５又はＮＲプリアンブル検出装置２２４によるエネルギー検出とに基づき、チャネル占有量を決定してもよい。
【００４０】
低レート（ＬＲ）検出装置無効化ロジック２２１は、ＬＲプリアンブル検出装置２２５を無効化するためのチャネルトラフィックロジック２１９からの指示に応答して、ＬＲプリアンブル検出装置２２５を無効化し、ＬＲプリアンブル検出装置２２５を有効にするためのチャネルトラフィックロジック２１９からの指示に応答して、ＬＲプリアンブル検出装置２２５を有効にしてもよい。いくつかの実施例では、ＬＲ検出装置無効化ロジック２２１は、ＬＲプリアンブル検出装置２２５の回路又はその一部から電力を低減又は排除することによって、ＬＲプリアンブル検出装置２２５を無効にしてもよい。さらなる実施例では、ＬＲプリアンブル検出装置２２５は、ＬＲプリアンブル検出装置２２５の入力からアンテナアレイ２１８からのエネルギー入力を切断することによって無効にされてもよい。さらなる実施例では、ＬＲプリアンブル検出装置２２５は、他の手段により無効にされてもよい。
【００４１】
ＬＲ検出装置無効化ロジック２２１は、ＬＲプリアンブル検出装置２２５の回路又はその一部への電力を増加又は印加することによって、ＬＲプリアンブル検出装置を有効にしてもよい。さらなる実施例では、アンテナアレイ２１８からのエネルギー入力をＬＲプリアンブル検出装置２２５の入力に接続することは、ＬＲプリアンブル検出装置２２５を有効にする。さらなる実施例では、ＬＲプリアンブル検出装置２２５は他の手段により有効にされてもよい。
【００４２】
いくつかの実施例では、信号処理ロジック２２６は、ＤＢＦ、ＯＦＤＭ、復調装置及びデコーダの１以上を有してもよい。受信信号は、アンテナエレメント２１８からＤＢＦに提供される。ＤＢＦは、Ｎ個のアンテナ信号をＬ個の情報信号に変換する。ＤＢＦの出力は、ＯＦＤＭに提供される。ＯＦＤＭは、情報搬送信号が変調される複数のサブキャリアから信号情報を抽出する。復調装置は、受信信号を復調する。また、デコーダは、復調装置から受信信号を復号化し、復号化された情報ＭＰＤＵをＭＡＣサブレイヤロジック２０１に送信する。
【００４３】
当業者は、送受信機が図２に図示されない更なる多数の機能を有し、受信機２０４及び送信機２０６が１つの送受信機としてパッケージ化されるより別々の装置とすることが可能であることを認識するであろう。例えば、送受信機の実施例は、ＤＲＡＭ、キャッシュ、バッファ、レジスタ、リファレンスオシレータ、フィルタリング回路、同期回路、複数の可能な周波数変換段階及び複数の増幅段階などを有してもよい。さらに、図２に示される機能の一部は一体化されてもよい。例えば、デジタルビーム形成は、直交周波数分割多重と一体化されてもよい。ＤＲＡＭ、キャッシュ、バッファ及びレジスタは、ここに説明されるデータ処理を実現するため、データを格納及び操作するための何れかのコンポーネントと接続される。
【００４４】
図３は、低レートプリアンブル検出装置を無効及び有効にするためのフローチャート３００の実施例を示す。フローチャート３００は、受信機が相関ロジックにおいてアンテナ又はアンテナアレイを介し通信信号を受信することから開始される（エレメント３０５）。相関ロジックは、通常レート及び低レート通信信号についてプリアンブルを検出及び復号化するため、通常レートプリアンブル検出装置及び低レートプリアンブル検出装置を有する。
【００４５】
チャネルトラフィックロジックは、通信信号に基づきチャネル占有値を決定するため、通常レート及び低レートプリアンブル検出装置と通信接続される（エレメント３１０）。チャネル占有ロジックは、通信チャネル上の通信信号の検出及び復号化されたプリアンブルに基づき、チャネル占有値を決定する。いくつかの実施例は、チャネル占有値は、通信信号が通信チャネル上で送信されている時間のパーセンテージを示すものであってもよい。さらなる実施例では、チャネル占有値は、ある期間において検出された通信信号のカウントから構成されてもよい。他の実施例では、チャネル占有値は、チャネルトラフィックを示す他の値から構成されてもよい。
【００４６】
多数の実施例において、チャネルトラフィックロジックは、チャネルトラフィックロジックが属するステーションにより送信及び／又は受信されたトラフィックに基づき、デューティサイクルを決定する（エレメント３１５）。いくつかの実施例では、デューティサイクルロジックは、通信チャネル上の通信信号の検出及び復号化されたプリアンブルに基づき、デューティサイクル値を決定してもよい。いくつかの実施例では、デューティサイクル値は、通信信号がチャネルトラフィックロジックが属するステーションにより送信及び／又は受信されている時間のパーセンテージを示すものであってもよい。さらなる実施例では、デューティサイクル値は、ある期間において送信及び／又は受信される通信信号のカウントから構成されてもよい。他の実施例では、デューティサイクル値は、ステーションにより送信又は受信されるチャネルトラフィックを示す他の値から構成されてもよい。
【００４７】
１以上のトラフィックインジケータを決定した後、チャネルトラフィックロジックは、１以上のトラフィックインジケータに基づき低レートプリアンブル検出装置を無効にする（エレメント３２０）。例えば、チャネルトラフィックロジックは、低レートプリアンブル検出装置を有効又は無効にするか判断するため、決定されたインジケータとしてのトラフィックインジケータと当該インジケータの閾値とを比較する。多数の実施例では、低レートプリアンブル検出装置の状態の変更後であって低レートプリアンブル検出装置の状態に対する他の変更を実現するまでの期間を待機するなど、ある種のヒステリシス処理が実装されてもよい。いくつかの実施例では、低レートプリアンブル検出装置は、ユーザの設定可能な嗜好により無効にされてもよい。例えば、ステーションがインストールされるアプリケーションが低いチャネル占有量又は低いデューティサイクルを有するとユーザが判断した場合、ユーザは、当該嗜好がユーザにより手動により変更されるまで、低レートプリアンブル検出装置を永久に無効にするよう嗜好を設定することを判断してもよい。このような実施例では、低レートプリアンブル検出装置を無効及び有効にするロジックはまた、無効にされてもよい。
【００４８】
低レートプリアンブル検出装置が無効にされている間、チャネル占有値及び／又はデューティサイクル値は、低レートプリアンブル検出装置を有効にするか判断するため、閾値のチャネルトラフィック値と比較されてもよい。トラフィックインジケータが閾値のチャネルトラフィック値に到達又は超過したことに応答して、低レートプリアンブル検出装置は有効にされてもよい（エレメント３２５）。他の実施例では、閾値のチャネル占有値及び閾値のデューティサイクル値などのトラフィックインジケータの閾値のチャネルトラフィック値が、ＲＯＭ、ＲＡＭ、キャッシュ、バッファ、レジスタなどの記憶媒体に格納されてもよい。さらなる実施例では、閾値の１以上は、ＭＡＣサブレイヤロジックやＰＨＹロジックにハードコード化されるか、又はチャネルトラフィックロジックに利用可能とされてもよい。
【００４９】
図４は、ステーションの製造のため、又は入力パラメータにより規定されるような特定のアプリケーションに適したステーションを選択するため、図１に示されるステーションなどのＩＥＥＥ８０２．１１ステーションを構成するためのフローチャート４００の実施例を示す。ネットワークにおいて２つの異なる変調符号化方式セットと２つの異なるプリアンブルとを利用することは、チャネルが低レート変調符号化方式により送信されるパケットにより占有されるときに、適切に送信を保留するため、低レート通信をサポートしないステーションに図２の低レートプリアンブル検出装置２２５などの低レートプリアンブル検出装置及びデコーダの実装を要求させる。これは、低レート変調符号化方式をサポートする必要がないセンサなどの装置のコストを増加させる。しかしながら、ステーションのデューティサイクルが低いとき、通常レート変調符号化方式のパケットと低レート変調符号化方式のパケットとが互いにオーバラップする確率はかなり低い。通常レート変調符号化方式のみをサポートする装置が高い又は非常に高いデューティサイクルトラフィックを有するとき、衝突の確率はより高くなる。従って、ステーションの少なくとも一部を構成するためのコード又は特定のアプリケーションについてステーションを選択するためのコードは、低レートプリアンブル検出装置がステーションの受信機の相関ロジックの回路に一体化されるべきか判断するため実行されてもよい。
【００５０】
一実施例によると、低レートプリアンブル検出装置は、通常レートステーションによりサポートされるトラフィックに基づき通常レートステーションに一体化されてもよい。例えば、ｉ）低いデューティサイクルのトラフィック、ｉｉ）小さな送信／受信バッファサイズ、又はｉｉｉ）低いチャネル占有量（数分毎又はそれ以上のパケット送信など）しかサポートしない通常レートステーションは、任意的には、キャリア検知のための低レートプリアンブル検出装置を一体化する。例えば、ｉ）高いデューティサイクルのトラフィック、ｉｉ）大きな送信／受信バッファサイズ、又はｉｉｉ）フルバッファされたトラフィック又はバック・ツー・バック送信などの高いチャネル占有量などをサポートする通常レートステーションは、ＩＥＥＥ８０２．１１規格などによるキャリア検知のための低レートプリアンブル検出装置を一体化することが要求されてもよい。
【００５１】
フローチャート４００は、ＩＥＥＥ８０２．１１ステーションがサポートするよう構成されるデューティサイクルに基づき、ＩＥＥＥ８０２．１１ステーションの構成に低レートプリアンブル検出装置を一体化するか判断することから開始される（エレメント４０５）。第１閾値のチャネルトラフィック値を超過したデューティサイクルを有する通常レートステーションは、低レートプリアンブル検出装置がＩＥＥＥ８０２．１１規格に従うことを要求してもよい。第２のより低いトラフィック閾値のチャネルトラフィック値を超過したデューティサイクルを有する通常レートステーションは、好ましくは、任意的に低レートプリアンブル検出装置を有してもよい。また、閾値のチャネルトラフィック値以下のデューティサイクルを有する通常レートステーションは、任意的には低レートプリアンブル検出装置を有してもよい。いくつかの実施例は、ステーションの意図される利用に関する情報に基づき、ネットワークの拡大の可能性などの拡大インジケータを利用してもよい。当該実施例では、デューティサイクルは拡大ファクタに基づき予測され、予測されたデューティサイクルが閾値のチャネルトラフィック値を超過した場合、低レートプリアンブル検出装置が推奨される。さらなる実施例は、デューティサイクルが閾値のチャネルトラフィック値のパーセンテージの範囲内である場合、低レートプリアンブル検出装置を推奨する。
【００５２】
フローチャート４００は、ＩＥＥＥ８０２．１１ステーションの送信機により送信されるデータのバッファのサイズに基づき、ＩＥＥＥ８０２．１１ステーションの構成に低レートプリアンブル検出装置を一体化するか判断し（エレメント４１０）、ＩＥＥＥ８０２．１１ステーションの受信機により受信されるデータのバッファのサイズに基づき、ＩＥＥＥ８０２．１１ステーションの構成に低レートプリアンブル検出装置を一体化するか判断する（エレメント４１５）ことに続く。送信機及び／又は受信機のバッファサイズは、通常レートステーションが処理可能な、及び／又は処理することが期待される通信トラフィック量に関連するものであってもよい。従って、いくつかの実施例は、あるサイズより小さいバッファを有するステーションが低レートプリアンブル検出装置を必要としないことを考慮してもよい。他方、バッファがあるサイズより大きい場合、通常レートステーションは、低レートプリアンブル検出装置の一体化を推奨するため、又は当該一体化をＩＥＥＥ８０２．１１規格に準拠するために必須にするため、十分大きな通信トラフィックを可能にするものであってもよい。
【００５３】
フローチャート４００はさらに、ＩＥＥＥ８０２．１１ステーションが通信するよう構成されるチャネルのチャネル占有量に基づき、ＩＥＥＥ８０２，１１ステーションの構成に低レートプリアンブル検出装置を一体化するか判断することに続いてもよい（エレメント４２０）。いくつかの実施例では、チャネル占有量は、ユーザにより入力された予想されるチャネル占有量に基づき、又はステーションが意図するアプリケーションに基づく典型的なチャネル占有範囲によって決定されてもよい。
【００５４】
他の実施例は、図１〜４を参照して説明されるシステム及び方法を実現するためのプログラムとして実現される。いくつかの実施例は、完全にハードウェアの実施例、完全にソフトウェアの実施例又はハードウェアエレメントとソフトウェアエレメントとの双方を含む実施例の形態をとりうる。他の実施例は、限定することなくファームウェア、常駐ソフトウェア、マイクロコードなどを含むソフトウェアにより実現される。
【００５５】
さらに、実施例は、コンピュータ又は何れかの命令実行システムにより利用されるか、又は接続されるプログラムコードを提供するコンピュータ利用可能又は可読媒体からアクセス可能なコンピュータプログラム（又はマシーンアクセス可能なプロダクト）の形態をとりうる。本説明のため、コンピュータ利用可能又はコンピュータ可読媒体は、命令実行システム、装置又はデバイスにより利用のため又は接続されるプログラムを内蔵、格納、通信、伝搬又は伝送可能な何れかの装置とすることができる。
【００５６】
当該媒体は、電子、磁気、光、電磁気、赤外線又は半導体システム（又は装置若しくはデバイス）とすることができる。コンピュータ可読媒体の具体例として、半導体若しくはソリッドステートメモリ、磁気テープ、着脱可能なコンピュータディスケット、ＲＡＭ、ＲＯＭ、リジッド磁気ディスク及び光ディスクがあげられる。光ディスクの現在の具体例として、ＣＤ−ＲＯＭ、ＣＤ−Ｒ／Ｗ及びＤＶＤがあげられる。
【００５７】
プログラムコードを格納及び／又は実行するのに適したデータ処理システムは、システムバスを介しメモリエレメントに直接的又は間接的に接続される少なくとも１つのプロセッサを有する。メモリエレメントは、実行中にバルクストレージからコードが抽出される必要がある回数を減少させるため、少なくともいくつかのプログラムコードの一時的なストレージを提供するバルクストレージ及びキャッシュメモリと、プログラムコードの実際の実行中に利用されるローカルメモリとを含むことが可能である。
【００５８】
上述されたロジックは、集積回路チップの設計の一部であってもよい。チップの設計は、グラフィカルコンピュータプログラミング言語により作成され、コンピュータ記憶媒体（ディスク、テープ、物理的なハードドライブ又はストレージアクセスネットワークにおけるバーチャルハードドライブなど）に格納される。設計者がチップを製造するのに利用されるチップ又はフォトリソグラフィックマスクを製造しない場合、設計者は、物理的手段（設計を格納した記憶媒体のコピーを提供するなどによって）によって又は電子的（インターネットなどを介し）に作成された設計を当該エンティティに直接的又は間接的に送信する。その後、格納された設計は、製造に適したフォーマット（ＧＤＳＩＩなど）に変換される。
【００５９】
製造された集積回路チップは、ベアダイとしての未処理のウェハ形態（すなわち、複数の未パッケージ化チップを有する単一のウェハとして）で、又はパッケージ化形態で製造者によって配布可能である。後者のケースでは、チップは、単一のチップパッケージ（マザーボードや他の上位レベルキャリアに付属されるリードを有するプラスチックキャリアなど）又はマルチチップパッケージ（表面のインタコネクション又は埋め込まれたインタコネクションの一方又は双方を有するセラミックキャリアなど）に搭載される。何れのケースでも、チップは、その後に他のチップ、別の回路エレメント及び他の信号処理装置と共に、（ａ）マザーボードなどの中間プロダクト又は（ｂ）エンドプロダクトの一部として一体化される。
【００６０】
本開示がデバイスプロファイルを他の通信装置に通信するためのデバイスプロファイルインデックスエレメントを想定することは、本開示の利益を有する当業者に明らかであろう。詳細な説明及び図面に図示及び記載される実施例の形態は単なる具体例としてとられるべきであることが理解されるであろう。以下の請求項は開示された実施例の全ての変形を含むよう広範に解釈されるべきであることが意図される。
【図１】
0005781696.tif 000002
【図２】
0005781696.tif 000003
【図３】
0005781696.tif 000004
【図４】
0005781696.tif 000005